(57)【要約】【課題】細胞を活性化させて着用者の尿道筋の低下を上昇させ、血流を増加させることができるとともに、暑さにもむれにくいし、かゆみやアレルギーにもなりにくい。又湿気や酸化を吸収し、これらを除去効果の良いものであり、下着装着体。【解決手段】天然鉱物石二種類混合した素材を活用したことを特徴とする下着装着体。【選択図】  図１
2010070885.tif 000002
【特許請求の範囲】
【請求項１】
天然トルマリンと薬石を微粒子状とし高質度の糸にて形成された網目状の布より成る袋
体の内部に区画された多数の小室に、前記微粒子状の天然鉱石素材とするトルマリンと薬
石を収容して構成された下着の内側に装着される尿の受動的排泄されるのを吸収し、及び
尿道筋肉疲労を回復させる下着装着体。
【請求項２】
前記編目状の布より成る袋体の表面を通気性の良い布にて被覆し二重構造とした請求項
１に記載の尿が受動的排泄されるのを吸収し、及び尿道筋肉疲労を回復させる下着装着体
。
【請求項３】
前記袋体はその上下層を縫着することにより、多数の小室に区画される請求項１又は２
に記載の尿が受動的排泄されるのを吸収し、及び尿道筋肉疲労を回復させる下着装着体。
【請求項４】
前記天然鉱物トルマリンと薬石を微粒子状を二重類混合したのは尿道筋肉疲労の括約筋
治療するため鉱物素材の効率を高目て尿もれを防ぐため、尿が受動的排泄されるのを吸収
し、及び尿道筋肉疲労を回復させる下着装着体。
【請求項５】
前記天然トルマリンと薬石微粒子素材布に収容して構成された下着に装着することによ
り、皮膚アレルギーを防ぐ請求項２ないし４いずれかの尿が受動的排泄され吸収し及び尿
道筋肉疲労を回復させる下着装着体。
【発明の詳細な説明】
【技術分野】
【０００１】
本発明は下着内側に装着される為に皮膚に接する為高度性の高い布地を使用している。
布に成る袋体は区画され各部の区画内に素材薬石とトルマリンは3.4ミリ砂粒状に加工さ
れ、布地に成る区画部に素材を入れて高度の高い糸にて形成される。括約筋促進に良い（
プラス極）と（マイナス極）で構成する下着に装着する人の異なる位置の皮膚に微弱電流
発生を利用して、血流を良くし、人体を構成する細胞の活性化を図り、同時に括約筋近辺
の筋肉疲労を除去する。効率を良くする微弱電力流発生し、健康増進成る下着装着体は、
増進括約筋の尿道筋回復に関するもの。
【０００２】
現代人は長い道を乗り越え交通機関の行動範囲を広げる上では非常に有意義ではあるが
、その反面で我々の日常の生活より歩く時間を極端に少なくしている。そのために慢性的
な運動部不足に陥り、さらに栄養過多を招き、メタボリック気味になり、その結果年齢に
関係なく高血圧症を招いたり、精力の減退や体力の低下をもたらし健康を著しく阻害する
にいたっている下着装着体。
【０００３】
上記の悩みを解消するために、近年括約筋の健康増進に天然石を積極的に摂取すること
により精力強壮を図り、あるいは体質改善ないし血流を良くすることにより、さらには人
体を構成する細胞の活性をは図り、同時に皮下脂肪の除去ないし抑制を図り、筋力疲労を
除去や精力強壮を図るために種々の手段が採用されているため尿道筋肉疲労の回復に関す
る下着装着体。
【背景技術】
【０００４】
近年、予想以上に生理的筋肉疲労は、体の内側から疲労的体質に低下するのは、体の部
分的筋力の働きに賊する。現在は時代の流れである為、筋力を働かせる能率的に４割から
５割程度に増大してきている。または、神経痛や血行不良を起こしやすく酸素不足になり
やすいため行動範囲は狭くなり、体力的低下に成るため尿道括約筋回復効果に天然石素材
に研究されて取り入れた物である下着に装着体を開発される。
【発明の開示】
【発明が解決しようとする課題】
【０００５】
本発明の上記は、従来に研究を重ねて薬石とトルマリンの二種類を微粒子状にし混合し
素材を簡単な方法でできる薬石とトルマリンの加工法を求めた。微粉ばかりではなく、2
ミリから3ミリ程度の鉱石物を粒状の薬石とトルマリンも利用できる方法を研究した。上
記の加工方法は薬石とトルマリンが表面を覆われることなく、空中の水分と反応し、電気
分解効果やマイナスイオン効果、遠赤外線などを多く得られる構造を求めた。すなわち、
薬石とトルマリンを布に成る形成し尿水や臭い、湿気の酸化を除去して浄化、吸収する効
率を求めた。
【０００６】
また、そうした運動不足を補うために我々は、規則正しく休日にはハイキング、ゴルフ
、ジョギングを行って体力作りに精出している。そこで本発明は、上記のような継続する
ことができない事情を払拭するものとして、下着に装着する括約筋回復の素材を活用して
筋肉の働きを良くすることで、薬石とトルマリンの素材を混合し活用することで血流や筋肉増進するための尿道筋疲労を回復する下着に装着体である。
【課題を解決するための手段】
【０００７】
上記目的を達成するために、本発明の括約筋疲労回復、尿道筋疲労を除去するために効
果があり、尿道近辺の血流は薬石とトルマリン石は微弱電流発生し、0.06ミリが特徴とし、下着内側に装着し使用する下着装着体。
【０００８】
本発明の上記は効果に良い天然鉱物二種類混合素材等の安定電極発生し、天然鉱物石微
粒状とし素材を布地及び全重量25ｇ以下の方法で、発明の目的がより効果的に達成される
。天然鉱物石微粒状25ｇ重量％を超えないことが好ましい。素材量25ｇを超えると、おも
くなる感じを与える。
【０００９】
天然鉱物石に含まれる鉱物微状はブラックトルマリン薬石33重量％以上含まれることが
好ましい。酸化ジルコニウム、酸化アルミニウム、酸化チタン、酸化鉄、酸化カルシウム
、酸化ナトリウム、酸化マグネシウム、酸化マンガンこれらが含んでもよい。括約筋疲労
回復、尿道筋回復に効果がある。
【００１０】
薬石とトルマリン石の安定微弱電流極対形成能を有する天然物は遠赤外線の放射率が高
く、また遊離の負イオンの有意に発生することが知られている。筋肉疲労、尿漏れを防ぐ
効果に良い素材である。
【００１１】
括約筋疲労回復、尿道筋肉疲労回復、尿漏れを防ぐ天然鉱物粒子は20ミクロン以下の平
均粒子径ろ有することが好ましい。5クロン以下の平均粒子は径は特に好ましい。高分子
の柤の中に均一に分散されていることが好ましい。
【００１２】
本発明の括約筋疲労回復、尿道筋の血流や筋肉疲労回復に良い鉱物素材において微弱電
流発生する高分子を含むことが好ましい。二種類混合し素材等の平均的安定して微弱状電
極発生する、布地に成る素材うぃ効率よく配置され永久電極対形成性鉱物粒子を含む組成
物は、その特有の効果が強く現れるため安定である。
【００１３】
本発明の括約筋疲労回復、尿漏れや血流、筋肉において、特に好ましい効率効果は高純
度二種類混合し鉱物粒子の分散が安定となる。
【００１４】
本発明の括約筋疲労回復尿道近辺筋肉疲労には効率的効果は最良に発揮する。第一トル
マリン石と第二薬石の鉱物は微弱状遠赤外線発生による細菌の除去、臭いや身体から出る
汗の酸化を浄化に効果がある。
【発明の効果】
【００１５】
上記のように構成された下着に装着され皮膚に接する所定の合う間隔にマジックテープ
（登録商標）で下着に装着されることにより、筋肉疲労や括約筋を増進し、尿漏れに効果
をみたす図３に示す、下着に装着のまま固定置のまま使用動作は上げ下げに扱うことに特
意とした構造に成る。図３にｐとｄの間に入れることにより括約筋肉疲労の回復に良い効
果がある。
【００１６】
上記の効率を一層高めるため下着装着体は薬石とトルマリンを微粒子とした素材を布に
成る区画され袋体に素材を配置し人体の構成させる細胞の活性化を図るため、上記に記載の尿近辺の括約筋を増進させるため、天然石素材を布地に入れて布両面を高質度の高い糸にて形成される。この下着内側に装着する場合人体に直接接触する側に図２に示す、ｐとｄの間に入れ、筋肉疲労等の除去を効率的に行う微弱発生する素材は遠赤外線による。この素材を活用したのは、プラス極、マイナス極、微弱電流放射するため、括約筋疲労回復に良い下着装着体。
【００１７】
前記下着図２に下着装着は内側ｐとｄの括約筋の近辺に、プラス電流、マイナス電流発
生し括約筋疲労を補い、除去する。その素材は薬石とトルマリンを組み合わせているため
、その効果を効率を高め構成している。これらの素材は洗濯等考慮して下着２に対してマ
ジックテープ（登録商標）等を使用して構成されていることが望ましい。
【００１８】
なお上記の実施例では、下着（男性パンツや女性ショーツ）も内側に装着する場合、人
体に直接接触る側、位置に素材(薬石)（トルマリン石）微弱電流発生は人体の波長に合う
遠赤外線により、身体の筋肉疲労促進ｐとｄの筋肉疲労や括約筋近辺の疲労を除去し、尿
漏れを防ぐ。特にトルマリン素材による血流効果の促進、精力強がより一層強化でき、と
もに、特に女性の下着の部に遠赤外線を放射する薬石素材薬石とトルマリン石素材を配置
することで、女性特有の冷え、又はおり物の痛みを除去、効果的であり、上記記載の素材
を使用して水道の中に入れて、アルカリイオン水として電気ポットに入れて飲むと、如意
の強い物を食た後その如意を除去される。素材はより効果的であり、括約筋の疲労回復や
血流を良くし下着装着体である。
【００１９】
その他に遠赤外線放射により細の活性化を図られ、酸素の供給も効率が良く行われ、か
つ括約筋も強化され精力も著しく強壮される。特に男性の場合は（下着に装着する場合人
体に直接接する側に成る）図３に示す、性器上の皮膚に接する位置に素材を配置して、肛
間筋の近辺にデキ物やアレルギーを除去、浄化、吸収する効果に良い。
【発明を実施するための最良の形態】
【００２０】
以下、本発明に係る薬石とトルマリンを二種類混合素材を布地に成る区画部に入れて形
成され、下着装着体およびこれらの図面を参照しつつ説明する。
図１は、本発明の一実施形態である下着装着体を示し、図２は、本発明の一実施形態で
ある下着に装着を示す。
【００２１】
本発明に係る下着装着体は、図１に示すパンツやショーツ部を有する下着装着体は下着
内側に設けらたマッチ部分（１）や図２に示す、下着に装着されて括約筋促進や尿漏れ、
湿気の酸化を吸収する目的の物である。
【００２２】
本発明において、上記のパンツやショーツの内側に下着装着体の素材は、天然素材の性
質がある吸湿性及び直接肌に接するためソフトな風合いがあるためである。
【００２３】
上記薬石とトルマリンを微粒子は、布地に形成され図２や図３に示す、形成された表面
は網目状の布はポリエステル35％、綿65％の素材に成る下着装着体。
【００２４】
本発明において、上記薬石とトルマリンは素材を2ミリ〜3ミリ重量％含むことを特徴と
する。下着装着体の全体重量は23ｇ〜25ｇ程度の重さが最高レベルになる下着パンツやシ
ョールに装着されるためのものである。
【００２５】
上述した如く、本発明に係る下着の内側に装着されるため優れた細胞賦活効果を有する
。また繰り返しの洗濯もできる下着装着体。
【実施例１】
【００２６】
以下、本発明の実施例と比較例を比較することにより、本発明の効果をより明確なもの
とする。尚、本発明に係る下着装着体は鉱石の効果を素材とする薬石とトルマリンを2ミ
リ〜3ミリ粒状を布地区画部に配置し入れ通気性の良い網状のポリエステル35％、綿65％
のものは、高質度の糸にて両面縫着して形成した下着装着体は以下の実施例に何ら限定さ
れるものではない。
【実施例２】
【００２７】
実施例２として、実施例１と同一の下着装着体はポリエステル、綿素材は肌ざわりの良
い高質度の高いものを使用しているため繰り返しの洗濯にも細胞賦活性が低下しない耐洗
濯性に優れていて、しかも本発明は老人施設や活動不足気味な人、年齢には関係なく尿漏
れは湿気や酸化の臭いを防ぐための下着装着体。
【実施例３】
【００２８】
試験例２：下着内側に装着され除去し浄化や吸収し尿漏れを防ぐ増加くかに良い実施例１
〜２を試験品は、尿道筋血流増加効果の評価の下着装着体として行った効果は最良の高い
効果ができた。
【産業上の利用可能性】
【００２９】
以上のように、本発明を用いることにより、優れた保温、細胞賦活特性を有し、且つ肌
ざわりが良く、繰り返しの洗濯でも特性の劣化の無い下着装着体である。かつ進歩性に富
み筋肉増進活動的効果に役立てるための健康的ステップに良く、天然石素材を特異とした
下着装着体。
【図面の簡単な説明】
【００３０】
【図１】正面図
【図２】右側面図
【図３】正面図
【符号の説明】
【００３１】
１    布地に天然石素材を区画部入り
２    薬石とトルマリンを微粒子状になるもの
３    ポリエステルや綿に形成される部
４    薬石とトルマリンを微粒子状は区画部に入れる部分
５    下着装体はパンツやショーツにマジックテープ（登録商標）により取り付ける
６    パンツやショーツ
７    パンツやショーツ
８    下着内側にマジックテープで装着部
９    筋肉増進尿漏れを補う下着装着体
１０    下着にマジックテープで装着部
１１    下着装着体ｐとｄの間に装着される。Ａは図に示す。Ｂは図に示す。
【図１】
2010070885.tif 000003
【図２】
2010070885.tif 000004
【図３】
2010070885.tif 000005